(57)【要約】【課題】高価な能動光学素子を用いることなく、視野角の変更機能を有し、消費電力の低減が可能な液晶表示装置を、安価に提供する。【解決手段】液晶表示装置は、液晶表示パネルと、この液晶表示パネルの背面側に、液晶表示パネルの表示面に対して平行に重ね合わせて配置された複数のバックライトユニットとを備えて構成される。複数のバックライトユニットは、個別に光源を備え、互いに異なる配光分布で発光するよう構成されており、複数のバックライトユニットの各光源の発光量をバックライトユニット毎に制御することにより、液晶表示パネルの表示面の正面方向の輝度を所定の輝度に保ちながら、複数のバックライトユニットの発光量を個別に制御する。【選択図】図１
2010277901.tif 000002
【特許請求の範囲】
【請求項１】
液晶表示パネルと、
前記液晶表示パネルの背面側に、前記液晶表示パネルの表示面に対して平行に重ね合わせて配置された複数のバックライトユニットと
を備え、
前記複数のバックライトユニットは、個別に光源を備え、互いに異なる配光分布で発光するよう構成されており、
前記複数のバックライトユニットの各光源の発光量をバックライトユニット毎に制御することにより、前記液晶表示パネルの表示面の正面方向の輝度を所定の輝度に保ちながら、前記複数のバックライトユニットの発光量を個別に制御すること
を特徴とする液晶表示装置。
【請求項２】
前記複数のバックライトユニットのうち、少なくとも１つのバックライトユニットは、光源と、当該光源から放射された光を伝播させて前記液晶表示パネルに向けて放射する導光板とを有することを特徴とする請求項１に記載の液晶表示装置。
【請求項３】
前記複数のバックライトユニットのうち、少なくとも１つのバックライトユニットは、前記液晶表示パネルの直下に配置された光源を有することを特徴とする請求項１又は２に記載の液晶表示装置。
【請求項４】
前記複数のバックライトユニットの各光源のうち、少なくとも１つは、発光ダイオードであることを特徴とする請求項１乃至３のいずれか１項に記載の液晶表示装置。
【請求項５】
前記複数のバックライトユニットの各光源のうち、少なくとも１つは、レーザ光源であることを特徴とする請求項１乃至４のいずれか１項に記載の液晶表示装置。
【請求項６】
前記複数のバックライトユニットの各光源は、同じ発光方式の光源であることを特徴とする請求項１乃至５のいずれか１項に記載の液晶表示装置。
【請求項７】
観察者検知装置をさらに備え、
前記複数のバックライトユニットの発光量を、前記観察者検知装置によって検知した観察者の位置に基づいて制御すること
を特徴とする請求項１乃至６のいずれか１項に記載の液晶表示装置。
【請求項８】
ユーザーによる視野角の選択が可能なユーザー視野角選択手段をさらに備え、
前記複数のバックライトユニットの発光量を、前記ユーザー視野角選択手段におけるユーザーの選択に基づいて制御すること
を特徴とする請求項１乃至７のいずれか１項に記載の液晶表示装置。
【発明の詳細な説明】
【技術分野】
【０００１】
本発明は、消費電力の低減を目的として視野角を変更する機能を有する液晶表示装置に関する。
【背景技術】
【０００２】
液晶表示装置において、バックライトの配光分布を制御することにより、視野角を変更する機能を有するものが提案されている。例えば、特許文献１には、バックライトと液晶表示パネルとの間に、電圧のオンオフによって視野角が変化する視野角制御機構を配置することで、広視野角と狭視野角との切り替えを可能にした液晶表示装置が提案されている。
【先行技術文献】
【特許文献】
【０００３】
【特許文献１】特許第４１６４０７７号公報
【発明の概要】
【発明が解決しようとする課題】
【０００４】
しかしながら、特許文献１に記載された視野角制御機構としては、電圧のオンオフによって透明状態と不透明拡散状態（白濁状態）とが切り替えられる高価な能動光学素子を用いる必要がある。その結果、液晶表示装置が高価になるという問題がある。
【０００５】
本発明は、上記の課題を解決するためになされたものであり、その目的は、高価な能動光学素子を用いることなく、視野角変更機能を有し、消費電力の低減が可能な液晶表示装置を、安価に提供することにある。
【課題を解決するための手段】
【０００６】
本発明に係る液晶表示装置は、液晶表示パネルと、この液晶表示パネルの背面側に、液晶表示パネルの表示面に対して平行に重ね合わせて配置された複数のバックライトユニットとを備えて構成される。複数のバックライトユニットは、個別に光源を備え、互いに異なる配光分布で発光するよう構成されており、複数のバックライトユニットの各光源の発光量をバックライトユニット毎に制御することにより、液晶表示パネルの表示面の正面方向の輝度を所定の輝度に保ちながら、複数のバックライトユニットの発光量を個別に制御する。
【発明の効果】
【０００７】
本発明においては、高価な能動光学素子を用いることなく、視野角変更機能を有する液晶表示装置を、安価に実現することができる。これにより、不要な方向に放射される光を最小限に抑制して、消費電力を低減することができる。
【図面の簡単な説明】
【０００８】
【図１】本発明の実施の形態１に係る液晶表示装置の構成を示す断面図である。
【図２】（ａ）は、第１のバックライトユニットの配光分布を示す図であり、（ｂ）は、第２のバックライトユニットの配光分布を示す図であり、（ｃ）は、第１及び第２のバックライトユニットを合わせた配光分布を示す図である。
【図３】（ａ）は、実施の形態１に係る第１のバックライトユニットの導光板の構造を模式的に示す斜視図であり、（ｂ）及び（ｃ）は、第１のバックライトユニットの導光板の微細光学素子の断面形状を模式的に示す断面図である。
【図４】実施の形態１に係る第１のバックライトユニットの配光分布を示す図である。
【図５】実施の形態１における視野角制御に用いられる制御系の一例を示すブロック図である。
【図６】実施の形態１における視野角制御の一例を説明するための概略図である。
【図７】本発明の実施の形態２に係る液晶表示装置の構成を模式的に示す断面図である。
【発明を実施するための形態】
【０００９】
実施の形態１．
図１は、本発明の実施の形態１に係る液晶表示装置の構成を模式的に示す断面図である。図１に示すように、実施の形態１に係る液晶表示装置（透過型表示装置）は、透過型の液晶表示パネル９を有している。液晶表示装置は、また、液晶表示パネル９を背面から照明するバックライト装置として、液晶表示パネル９側から順に、狭い配光分布の照明光１０を放射する第１のバックライトユニット１と、広い配光分布の照明光１１を放射する第２のバックライトユニット２とを有している。第１及び第２のバックライトユニット１，２と液晶表示パネル９との間には、細かな照明ムラ等を抑制するための光学シート８が設けられている。また、第２のバックライトユニット２の図中下側（液晶表示パネル９とは反対の側）には、反射シート７が設けられている。
【００１０】
バックライトユニット１，２は、それぞれ照明光１０，１１を発し、光学シート８を介して液晶表示パネル９を照明する。液晶表示パネル９は、図示しない制御部からの表示信号に応じて、照明光１０，１１に対する透過率を空間的に変調することで、画像を形成する。また、第１及び第２のバックライトユニット１，２から裏面側に放射された光は、反射シート７により反射され、液晶表示パネル９の照明に利用される。
【００１１】
ここでは、液晶表示パネル９の表示面に直交する方向を、Ｚ方向とする。また、液晶表示パネル９の矩形の表示面の２辺に沿った方向を、Ｘ方向及びＹ方向とする。
【００１２】
第１のバックライトユニット１は、レーザ光源３と、液晶表示パネル９の表示面９ａに対して平行に配置された導光板４とにより構成されている。導光板４は、透明部材で形成された板状部材であり、その裏面４ａ（液晶表示パネル９と反対側の面）にプリズム形状の微細光学構造４０を有している。レーザ光源３は、導光板４のＹ方向の一端面（入射端面）４ｃに対向配置されており、例えば、複数のレーザ発光素子をＸ方向に配列したものである。レーザ光源３から発せられた光は、導光板４の入射端面４ｃから導光板４に入射し、導光板４内を全反射されながら伝播する。その際、導光板４の裏面４ａの微細光学構造４０により光の一部が反射され、照明光１０として導光板４の表面４ｂから放射される。微細光学構造４０は、導光板４内を伝播する光を、Ｚ方向（液晶表示パネル９にほぼ垂直な方向）を中心とする狭い範囲の方向にのみ放射する形状を有しており、第１のバックライトユニット１から放射される照明光１０は、狭い配光分布を有する照明光となる。
【００１３】
一方、第２のバックライトユニット２は、第１のバックライトユニット１のレーザ光源３と同様に構成されたレーザ光源５と、導光板４の裏面４ａに略平行に対向配置された導光板６とにより構成されている。導光板６は、透明部材で形成された板状部材であり、その裏面６ａに拡散反射構造６０を有している。レーザ光源５は、導光板６のＹ方向の一端面（入射端面）６ｃに対向配置されている。第１のバックライトユニット１と同様、レーザ光源５から発せられた光は、導光板６の入射端面６ｃから導光板６に入射し、導光板６内を全反射されながら伝播し、裏面６ａの拡散反射構造６０により光の一部が拡散反射され、照明光１１として導光板６の表面６ｂから放射される。拡散反射構造６０は、例えば拡散反射材を裏面６ａに塗布することにより構成されるものであり、入射光を広範囲に拡散するため、第２のバックライトユニット２から放射される照明光１１は、広い配光分布を有する照明光となる。
【００１４】
このように構成された液晶表示装置において、画像を表示する際に、第１のバックライトユニット１のレーザ光源３のみを点灯すると、液晶表示パネル９が図２（ａ）に示すような狭い配光分布１２を有する照明光１０のみで照明される。そのため、液晶表示装置の正面方向からは明るい画像が視認できるが、斜め方向から観察した場合には暗い画像となる。その一方で、観察方向以外の不要な方向に光を放射しないため、レーザ光源３の発光量を少なく抑え、消費電力を低減することができる。
【００１５】
一方、第２のバックライトユニット２のレーザ光源５のみを点灯すると、液晶表示パネル９が図２（ｂ）に示すような広い配光分布１３を有する照明光１１のみで照明される。そのため、どの方向からも明るい画像が視認できるが、全ての方向に対して十分な明るさを得るためには、レーザ光源５は大きな発光量が必要となり、消費電力も増加する。
【００１６】
そこで、本実施の形態１に係る液晶表示装置では、観察方向に応じて、第１のバックライトユニット１のレーザ光源３と第２のバックライトユニット２のレーザ光源５の発光量とを制御し、図２（ｃ）に示すように、第１及び第２のバックライトユニット１，２の照明光（配光分布１２ａ，１３ａ）を重ね合わせて、観察方向に応じた最適な配光分布１４を得る。これにより、観察方向に応じた視野角が得られ、不要な方向に放射される光を最小限に抑えることができる。その結果、全観察方向から明るい画像が視認できるように広い配光分布の照明光を放射する場合（図２（ｂ））と比較して、レーザ光源３，５の発光量を低減できるため、大きな消費電力削減効果が得られる。
【００１７】
液晶表示装置では、明る過ぎるとまぶしく感じる等の理由から、必要以上の明るさは不要である。そのため、ここでは、各レーザ光源３，５の発光量により照明光の配光分布を制御する際に、液晶表示パネル９の正面方向の明るさ（輝度）が常に一定の値Ｌを保つよう制御している。
【００１８】
従来より、一定の配光分布を有するバックライトユニットと、液晶表示パネルとの間に、電圧のオンオフにより透明状態と不透明拡散状態（白濁）とが切り替えられる視野角制御機構を設けた液晶表示装置が提案されている（特許文献１参照）。しかしながら、視野角制御機構として、高価な能動光学素子を設ける必要があるため、液晶表示装置が高価なものとなる。本実施の形態に係る液晶表示装置は、高価な能動光学素子を用いることなく、不要な方向に放射される光量を最小限に抑え、これにより消費電力の低減に有効な視野角変更機能を安価に実現している。
【００１９】
次に、実施の形態１に係る液晶表示装置において、狭い配光分布を有する照明光を得る第１のバックライトユニット１の構造を、図３（ａ）〜（ｃ）を参照して説明する。図３（ａ）に示すように、第１のバックライトユニット１の導光板４の裏面４ａには、プリズム状の微細光学構造４０が二次元的（ＸＹ面に沿って）に配列されている。
【００２０】
図３（ｂ）は、微細光学構造４０のＸＺ面に沿った断面形状を示す図である。図３（ｃ）は、微細光学構造４０のＹＺ面に沿った断面形状を示す図である。図３（ｃ）に示されているように、微細光学構造４０は、ＹＺ断面において、導光板４の裏面４ａに対して４８．５度の角度を有する２つの傾斜面４１，４１を有する二等辺三角形の形状を有している。微細光学構造４０は、また、ＸＺ断面において、導光板４の裏面４ａに対して７０度の角度を有する２つの傾斜面４２，４２と、これら傾斜面４２，４２の頂部でＸ方向に延在する稜線４３とを有する台形形状を有している。
【００２１】
導光板４の入射端面４ｃから入射し、導光板４の内部を伝播した光は、上記の反射面形状を有する微細光学構造４０（主として傾斜面４１）により反射され、導光板４の表面４ｂから、Ｚ方向（液晶表示パネル９にほぼ垂直な方向）を中心とする狭い範囲の方向に放射される。その結果、狭い配光分布を有する照明光１０を得ることができる。
【００２２】
図４は、このように設計された第１のバックライトユニット１により得られる照明光の配光分布のシミュレーションによる計算値と実測値とを併せて示す図である。図４から明らかなように、導光板４の微細光学構造４０により、他に光学シート等の光学部品を追加することなく、放射角度が全幅２０度（Ｚ方向を中心として−１０度〜＋１０度）の範囲に収まる程度の狭い配光分布を得ることができる。
【００２３】
複数のバックライトユニットを重ね合わせた液晶表示装置では、厚さが増加する場合があるが、実施の形態１に係る液晶表示装置は、各レーザ光源３，５を側方に配置することで、それぞれのバックライトユニット１，２を薄く構成できるため、液晶表示装置全体の厚さを抑えることができる。その結果、薄型で、なお且つ視野角の制御が可能な液晶表示装置を実現することができる。
【００２４】
照明光の配光分布を制御するためには、各レーザ光源３，５の発光量が自在に制御可能であることが好ましい。そこで、実施の形態１に係る液晶表示装置では、光源として、レーザ（あるいは発光ダイオード）のような発光量の制御が容易な固体光源を用いている。これにより、より最適な視野角の制御を可能にしている。
【００２５】
また、微細光学構造４０を、上述したような狭い配光分布の照明光が得られるように設計するに際しては、導光板４内を伝播する光の指向性が高い方が、微細光学構造４０の構造の単純化（これによる導光板４のコスト低減）及び性能向上の点で好ましい。そのため、ここでは指向性の高いレーザ光源３を用い、きめ細かく最適な視野角変更を低コストで実現し、より大きな消費電力低減効果を得ている。
【００２６】
実施の形態１に係る液晶表示装置では、上述したように、第１及び第２のバックライトユニット１，２が同じ方式の光源（レーザ光源）を用いている。仮に、一方のバックライトユニットの光源を例えば蛍光ランプとし、他方のバックライトユニットの光源を発光ダイオードとした場合のように、発光方式の異なる光源を用いた場合には、発光方式の違いによる発光スペクトルの差などにより、照明光の配光分布の変更に伴って表示色が変化する等の問題が生じる場合がある。各バックライトユニットが同一の発光方式の光源（例えばレーザ、ＬＥＤ）を用いることで、このような問題を解消し、視野角変更時にも良好な画質を維持することができる。
【００２７】
ここで、視野角を変更する制御方法の一例について説明する。図６は、視野角の変更のために必要な制御系の一例を示すブロック図である。また、図７は、視野角変更の一例を模式的に示す概略図である。
【００２８】
視野角を変更する制御方法として、最も簡易なものとしては、視野角の異なる複数の表示モード（例えば、狭視野角表示モード、広視野角表示モード等）を用意し、液晶表示装置に設けたユーザー視野角選択部を介して、観察位置に応じた最も適当な表示状態が得られるように、ユーザーが表示モードを選択する方法が考えられる。
【００２９】
この場合、図６に示すように、液晶表示装置は、第１のバックライトユニット１のレーザ光源３と第２のバックライトユニット２のレーザ光源５の発光量（すなわち各レーザ光源３，５への投入電力量）を制御する光源駆動部１０３と、この光源駆動部１０３を制御する表示モード制御部１００と、表示モード記憶部１０１と、ユーザーが表示モードを選択するためのユーザー視野角選択部１０２とを備えている。
【００３０】
表示モード記憶部１０１は、視野角の異なる表示モードのそれぞれについて、目標とする視野角に応じて決定された各レーザ光源３，５への投入電力量を記憶している。表示モード制御部１００は、ユーザー視野角選択部１０２によりユーザーが選択した表示モードに応じて、表示モード記憶部１０１に記憶した各レーザ光源３，５への投入電力量を、光源投入電力指示値として、光源駆動部（レーザ光源駆動回路）１０３に指示する。光源駆動部１０３は、光源投入電力指示値に基づいて各レーザ光源３，５をそれぞれ発光させ、これにより目標とする視野角を得る。
【００３１】
また、観察者を検知するためのＣＣＤカメラ等の観察者検知装置１０５と、検出された観察者の位置に応じた視野角を自動的に判定する視野角判定部１０６とを設けてもよい。この場合、観察者検知装置１０５により検知された観察者の位置に応じて、視野角判定部１０６が適切な視野角を判定し、表示モード制御部１００に対して、視野角指示値を入力する。表示モード制御部１００は、視野角判定部１０６から入力された視野角指示値に応じて、表示モード記憶部１０１に記憶した各レーザ光源３，５への投入電力量を、光源駆動部１０３に指示する。光源駆動部１０３は、光源投入電力指示値に基づいて各レーザ光源３，５をそれぞれ発光させ、これにより、観察者の位置に応じた適切な視野角が得られる。
【００３２】
表示モードの自動判定は、例えば、図６に示す観察者の位置と視野角との関係に基づいて行われる。すなわち、図６（ａ）に示すように、観察者が液晶表示パネル９に対して正面方向のみの場合には、第１のバックライトユニット１の発光量（配光分布１２ａａ）が第２のバックライトユニット２の発光量（配光分布１３ａａ）に対して相対的に大きく設定された視野角の狭い表示モードを選択する。これに対し、図６（ｂ）及び（ｃ）に示すように、観察者の位置が左右に広がるにつれて、その広がりに応じて、第１のバックライトユニット１の発光量（配光分布１２ａｂ，１２ａｃ）に対する第２のバックライトユニット２の発光量（配光分布１３ａｂ，１３ａｃ）の割合を大きくした、より視野角の広い表示モードを選択する。図６（ａ）〜（ｃ）において、第１及び第２のバックライトユニット１，２を合わせた照明光の配光分布をそれぞれ符号１４ａ，１４ｂ，１４ｃで示すが、いずれも正面方向において所定の輝度Ｌとなるように、各バックライトユニットの発光量が制御されている。このような視野角の自動判定制御を行うことで、ユーザーが表示モードを選択する煩雑さが解消されると共に、よりきめ細かな視野角制御（そのための発光量制御）が可能となるため、より高い消費電力低減効果が得られる。
【００３３】
なお、上述した観察者検知による視野角の自動判定、又は、ユーザーによる視野角選択の何れか一方のみを備えた構成も可能であることは言うまでもない。
【００３４】
以上に説明したように、実施の形態１に係る液晶表示装置は、個別に光源を備え、それぞれ異なる配光分布で発光するよう構成された複数のバックライトユニットを、液晶表示パネルの背面側に、表示面に対して平行に重ね合わせて配置し、複数のバックライトユニットの光源の発光量を個別に制御するよう構成されている。そのため、高価な能動光学素子を用いることなく、視野角変更機能を有する液晶表示装置を安価に実現することができる。
【００３５】
また、実施の形態１に係る液晶表示装置は、表示画面の正面方向の輝度を所定の指示値に保ちながら、複数のバックライトユニットの発光量を個別に制御するよう構成されているため、必要以上の明るさをもたらすことなく、観察方向に応じた最適な照明光の配光分布を得ることができる。さらに、不要な方向に放射される光を最小限に抑えて、消費電力を大幅に低減することができる。
【００３６】
また、実施の形態１に係る液晶表示装置では、第１及び第２のバックライトユニット１，２が導光板４０，６０を備えているため、各バックライトユニット１，２を薄型に構成することができる。これにより、薄型で、なお且つ、消費電力低減効果があり、視野角変更機能を有する液晶表示装置を実現することができる。
【００３７】
また、実施の形態１に係る液晶表示装置では、第１及び第２のバックライトユニット１，２が、発光量や発光方向を正確且つ容易に制御でき、なお且つ低コストのレーザ光源を用いているため、画像の色変化等を発生することなく、低コストで、きめ細かく最適な視野角の変更が可能となり、より大きな消費電力低減効果を得ることができる。
【００３８】
実施の形態２．
図７は、本発明の実施の形態２に係る液晶表示装置の構成を模式的に示す断面図である。図７に示すように、実施の形態２に係る液晶表示装置は、液晶表示パネル９の照明用バックライト装置として、狭い配光分布を有する照明光１０を放射する導光板型の第１のバックライトユニット１５と、広い配光分布を有する照明光１１を放射する第２のバックライトユニット１６とを有している。バックライトユニット１５，１６は、それぞれ照明光１０ａ，１１ａを放射し、実施の形態１で説明した光学シート８を介して液晶表示パネル９を照明する。液晶表示パネル９は、図示しない制御部からの表示信号に応じて、照明光１０ａ，１１ａに対する透過率を空間的に変調することで、画像を形成する。各バックライトユニット１５，１６の光源１７，１８は、いずれも発光ダイオードである。
【００３９】
本実施の形態では、第２のバックライトユニット１６は、導光板を有しておらず、内面が拡散反射面となっているバックライト筐体１９と、このバックライト筺体１９内に配置された発光ダイオード光源１８とを有して構成されている。発光ダイオード光源１８は、バックライト筺体１９の底板部の上に、液晶表示パネル９に直下に位置するように、平面的に（ＸＹ面に沿って）多数配置されている。また、バックライト筺体１９の第１のバックライトユニット１５側には、照明光の均一性を確保するための拡散度の高い拡散板２０が配置されている。すなわち、第２のバックライトユニット１６は、光源直下型バックライトとして構成されている。第１のバックライトユニット１５の構成は、光源１７が発光ダイオードであることを除き、実施の形態１の場合と同様である。
【００４０】
異なる配光分布を有する第１及び第２のバックライトユニット１５，１６の発光ダイオード光源１７，１８の発光量を個別に制御することにより視野角を変更し、消費電力を低減することは、実施の形態１において説明したとおりである。
【００４１】
導光板を備えたバックライトユニットは、光源を導光板の側端部のみに配置するため、画面サイズが大きくなると、十分な数の光源を配置することが難しくなり、十分な発光量・明るさを得られなくなる可能性がある。そこで、この実施の形態２に係る液晶表示装置では、広い配光分布の照明光を放射するものであって、光源に多くの発光量が求められる第２のバックライトユニット１６を、上述したように光源直下型のバックライトとし、これにより大画面化した場合でも十分な明るさを確保できるよう構成している。
【００４２】
光源直下型のバックライトを用いた場合、光源として、発光面積が小さく指向性の高いレーザ光源を用いると、照明光の配光分布の均一化に必要な構造が複雑になる。そのため、この実施の形態２では、第２のバックライトユニット１６の光源として、レーザと同様な高い発光制御性を有し、面発光であるために照明光の配光分布の均一化が容易な発光ダイオードを用いている。これにより、第２のバックライト１６の構造を簡単にし、さらなるコスト低減を実現している。また、第１のバックライトユニット１５の光源としては、第２のバックライトユニット１６と同方式の光源、すなわち発光ダイオードを用いている。
【００４３】
このように、実施の形態２に係る液晶表示装置では、広い配光分布の照明光を放射する第２のバックライトユニット１６を、光源直下型のバックライトとして構成し、発光ダイオード光源１８を用いているため、大画面化への対応が可能で、視野角変更機能を有し、消費電力低減が可能な液晶表示装置を安価に実現することができる。
【００４４】
なお、視野角を変更する制御は、実施の形態１で説明した制御方法（図５，図６参照）と同様に行われる。
【００４５】
なお、上述した実施の形態１及び２では、液晶表示装置が、２つのバックライトユニットを有する場合について説明したが、個別に光源を備えた３つ以上のバックライトユニットを有していてもよい。この場合、当該３つ以上のバックライトユニットの光源の発光量をバックライトユニット毎に制御することにより、正面方向の輝度を所定の指示値に保ちながら、各バックライトユニットの発光量を個別に制御する。
【符号の説明】
【００４６】
１  第１のバックライトユニット、  ２  第２のバックライトユニット、  ３  レーザ光源、  ４  導光板、  ４０  微細光学構造、  ５  レーザ光源、  ６  導光板、  ６０  拡散反射構造、  ７  反射シート、  ８  拡散シート、  ９  液晶表示パネル、  １０，１０ａ  第１のバックライトユニットの照明光、  １１，１１ａ  第２のバックライトユニットの照明光、  １２，１２ａ，１２ａａ，１２ａｂ，１２ａｃ  第１のバックライトユニットの配光分布、  １３，１３ａ，１３ａａ，１３ａｂ，１３ａｃ  第２のバックライトユニットの配光分布、  １４，１４ａ，１４ｂ，１４ｃ  照明光の配光分布、  １５  第１のバックライトユニット、  １６  第２のバックライトユニット、  １７  発光ダイオード光源、  １８  発光ダイオード光源、  １９  バックライト筐体、  ２０  拡散板、  １００  表示モード制御部、  １０１  表示モード記憶部、  １０２  ユーザー視野角選択部、  １０３  光源駆動部、  １０５  観察者検知装置、  １０６  視野角判定部。
【図１】
2010277901.tif 000003
【図２】
2010277901.tif 000004
【図３】
2010277901.tif 000005
【図４】
2010277901.tif 000006
【図５】
2010277901.tif 000007
【図６】
2010277901.tif 000008
【図７】
2010277901.tif 000009